(57)【要約】【課題】需要家への停電を避けつつ行う計量機器の失効替工事の際に、バラケ補正の作業効率を向上させる安全な電線バラケ補正工具を提供する。【解決手段】支軸１１により回動自在に軸支され、スプリング１７により先端にある第１，第２絶縁半円筒体１２２，１２３が閉じる方向に付勢された第２矯正具１２，１３を備える電線バラケ補正工具１とした。第１，第２絶縁半円筒体１２２，１２３の内側に芯線のバラケ補正をするための第１，第２補正用半円筒体１２２，１３２が設けられており、第１，第２補正用半円筒体１２２，１３２の先端が第１，第２絶縁半円筒体の先端より引き込まれて配置されて、作業時に芯線が外側に露出しないようにする。【選択図】図２
2008172924.tif 000002
【特許請求の範囲】
【請求項１】
支軸と、
電気的に絶縁がなされ、支軸により回動自在に軸支される第１，第２矯正具と、
第１，第２矯正具の先端を開く操作力を与える第１，第２開閉操作部と、
第１，第２矯正具の先端を閉じる方向へ付勢する付勢部と、
第１，第２矯正具の先端に設けられる第１，第２絶縁半円筒体と、
第１，第２絶縁半円筒体の内側に設けられる第１，第２補正用半円筒体と、
第１，第２補正用半円筒体の内側面に設けられる第１，第２ピンチ部と、
を備え、
第１，第２補正用半円筒体の先端が第１，第２絶縁半円筒体の先端より引き込まれて配置されることを特徴とする電線バラケ補正工具。
【請求項２】
請求項１に記載の電線バラケ補正工具において、
前記第１，第２矯正具は、絶縁樹脂で形成されていることを特徴とする電線バラケ補正工具。
【請求項３】
請求項１に記載の電線バラケ補正工具において、
前記第１，第２矯正具は、金属による本体の表面を絶縁樹脂または絶縁ゴムで表面全体を覆って形成されていることを特徴とする電線バラケ補正工具。
【請求項４】
支軸と、
支軸により回動自在に軸支される第１，第２矯正具と、
第１，第２矯正具の先端を開く操作力を与える第１，第２開閉操作部と、
第１，第２矯正具の先端を閉じる方向へ付勢する付勢部と、
第１，第２矯正具の先端に設けられる第１，第２補正用半円筒体と、
第１，第２補正用半円筒体の内側面に設けられる第１，第２ピンチ部と、
これら支軸および第１，第２矯正具とを覆う絶縁被覆部と、
を備え、
第１，第２補正用半円筒体の先端が絶縁被覆部の先端より引き込まれて配置されることを特徴とする電線バラケ補正工具。
【請求項５】
請求項４に記載の電線バラケ補正工具において、
前記絶縁被覆部は、絶縁ゴムまたは絶縁樹脂で形成されていることを特徴とする電線バラケ補正工具。
【請求項６】
請求項４または請求項５に記載の電線バラケ補正工具において、
前記絶縁被覆部に一体に形成される滑り止め部と、
を備えることを特徴とする電線バラケ補正工具。
【発明の詳細な説明】
【技術分野】
【０００１】
本発明は、計量機器の失効替工事の際に使用する電線バラケ補正工具であり、詳しくは、無停電取替工具を用いて電力量計等の計量機器を取替る作業の時に引込電線の芯線のバラケを補正する電線バラケ補正工具に関する。
【背景技術】
【０００２】
需要家に設置されている電力量計や計器用変成器（低圧変流器）等の計量機器の失効替工事では、需要家の停電を避けるために、無停電取替工具を用いて計量機器の交換作業を行っている。このような無停電取替工具を用いる計量機器の取替工事について、電力量計を例に挙げて、図を参照しつつ説明する。図９は、無停電取替工具を用いる電力量計の取替工事の説明図であり、図９（ａ）は取替前の状態図、図９（ｂ）は取替中の状態図である。
【０００３】
この無停電取替工具１００は、押切ネジやピンにより引込電線２００の電線被覆を破って芯線を露出し、電源側引込電線と負荷側引込電線との間にバイパス導通路を形成する電気的接続を行うとともに、電源側引込電線と負荷側引込電線とを一括挟持して機械的に固定支持するための工具である。
【０００４】
まず、図９（ａ）で示すように、無停電取替工具１００を引込電線２００に固定して、バイパス導通路を形成するとともに、引込電線２００を機械的に固定する。そして、図９（ｂ）で示すように、電力量計取り付け板３００から被交換用の電力量計４００が取外される。
【０００５】
この電力量計４００が取外されてから交換用の電力量計４００が取り付けられるまでの間、電源側引込電線と負荷側引込電線との芯線が露出された状態となり、芯線同士、または、芯線と接地部との混触等短絡事故や地絡事故を発生するおそれがある。そこで、電線の芯線に絶縁キャップ（図示せず）を被覆して事故防止手当を施している。
【０００６】
そして、交換用の電力量計４００を取り付ける直前で絶縁キャップを取外し、図９（ｂ）で示すように、交換用の電力量計４００を取り付ける。最終的には無停電取替工具１００を外し、押切ねじにより露出した引込電線２００の露出芯線部に絶縁テープ等で被覆して、取替工事を終了することとなる。無停電取替工具１００を用いる電力量計４００の取替工事はこのような一連の作業を経ることとなる。
【０００７】
このような取替工事において、従来技術では、被交換用の電力量計４００の端子列ターミナル４００ａから引き出された引込電線２００の芯線部は、曲がりくせ、捩れ、または電線のバラケ（芯線がバラバラになっている状態）が生じている場合が多く（図４（ａ）参照）、交換用の電力量計４００の端子列ターミナル４００ａとスムースに接続し難い状態である。
【０００８】
これらの引込電線２００は、需要家資産であって無断で交換したり切断することも出来ないため、芯線に補正を施した上で継続使用されている。特に、作業者は芯線のバラケ補正を行う際に、いちいち絶縁手袋をはめてペンチやニッパなど工具を用いながら補正しなければならないなど、煩わしい作業を強いられているという問題点があった。
【０００９】
そこで、バラケ補正を行う専用の器具が開発され、本出願人等により実用新案登録出願されている。この実用新案登録出願は実用新案登録され、実用新案掲載公報（特許文献１）の発行がなされている。
【００１０】
特許文献１に記載の電線バラケ補正工具は、ポリアセタール樹脂等の絶縁物からなり、丸棒状の本体にはその軸方向両端部に電線の芯線全体を挿入するための補正穴がそれぞれ同軸上に穿設され、本体の軸方向中央部にはこれを貫通する通孔が形成されている。使用時では作業者は滑り止めを握るようにして工具を持ち、電力量計等の端子穴から取り外した電線のバラケた芯線を、テーパ角度が大きい方の補正穴に挿入して工具を強く押し込み、その後、引き抜く動作を数回繰り返す。これにより、奥に進むにつれて狭窄している補正穴の内壁が芯線全体を内方へ圧接するため、芯線が束線され、補正される。その後、工具を抜き取ることにより、バラケ及び方向の補正作業が完了する。従来技術の電線バラケ補正工具はこのようなものであった。
【００１１】
【特許文献１】実用新案登録第２５０５５６１号公報（図１，図２等）
【発明の開示】
【発明が解決しようとする課題】
【００１２】
特許文献１に記載された電線バラケ補正工具では、押し込み動作や引き抜く動作を数回繰り返すというものであり、特に押し込み時に芯線を曲げるおそれもあり、このような補正作業を芯線を曲げることなくさらに簡易なものにしたいという要請があった。
【００１３】
そこで、本発明は、上記課題を解決するためになされたものであり、その目的は、需要家への停電を避けつつ行う計量機器の失効替工事の際に、バラケ補正の作業効率を向上させる安全な電線バラケ補正工具を提供することにある。
【課題を解決するための手段】
【００１４】
本発明の請求項１に係る電線バラケ補正工具は、
支軸と、
電気的に絶縁がなされ、支軸により回動自在に軸支される第１，第２矯正具と、
第１，第２矯正具の先端を開く操作力を与える第１，第２開閉操作部と、
第１，第２矯正具の先端を閉じる方向へ付勢する付勢部と、
第１，第２矯正具の先端に設けられる第１，第２絶縁半円筒体と、
第１，第２絶縁半円筒体の内側に設けられる第１，第２補正用半円筒体と、
第１，第２補正用半円筒体の内側面に設けられる第１，第２ピンチ部と、
を備え、
第１，第２補正用半円筒体の先端が第１，第２絶縁半円筒体の先端より引き込まれて配置されることを特徴とする。
【００１５】
また、本発明の請求項２に係る電線バラケ補正工具は、
請求項１に記載の電線バラケ補正工具において、
前記第１，第２矯正具は、絶縁樹脂で形成されていることを特徴とする。
【００１６】
また、本発明の請求項３に係る電線バラケ補正工具は、
請求項１に記載の電線バラケ補正工具において、
前記第１，第２矯正具は、金属による本体の表面を絶縁樹脂または絶縁ゴムで表面全体を覆って形成されていることを特徴とする。
【００１７】
また、本発明の請求項４に係る電線バラケ補正工具は、
支軸と、
支軸により回動自在に軸支される第１，第２矯正具と、
第１，第２矯正具の先端を開く操作力を与える第１，第２開閉操作部と、
第１，第２矯正具の先端を閉じる方向へ付勢する付勢部と、
第１，第２矯正具の先端に設けられる第１，第２補正用半円筒体と、
第１，第２補正用半円筒体の内側面に設けられる第１，第２ピンチ部と、
これら支軸および第１，第２矯正具とを覆う絶縁被覆部と、
を備え、
第１，第２補正用半円筒体の先端が絶縁被覆部の先端より引き込まれて配置されることを特徴とする。
【００１８】
また、本発明の請求項５に係る電線バラケ補正工具は、
請求項４に記載の電線バラケ補正工具において、
前記絶縁被覆部は、絶縁ゴムまたは絶縁樹脂で形成されていることを特徴とする。
【００１９】
また、本発明の請求項６に係る電線バラケ補正工具は、
請求項４または請求項５に記載の電線バラケ補正工具において、
前記絶縁被覆部に一体に形成される滑り止め部と、
を備えることを特徴とする。
【発明の効果】
【００２０】
このような本発明によれば、需要家への停電を避けつつ行う計量機器の失効替工事の際に、バラケ補正の作業効率を向上させる安全な電線バラケ補正工具を提供することができる。
【発明を実施するための最良の形態】
【００２１】
続いて、本発明を実施するための最良の形態を図を参照しつつ説明する。図１は本形態の電線バラケ補正工具の構成図であり、図１（ａ）は側面図、図１（ｂ）は底面図である。図２は本形態の電線バラケ補正工具の断面構成図である。図３は電線バラケ補正工具の開閉操作の説明図である。図４は電線バラケ補正工具の使用説明図である。なお、図９で示した従来技術と同じものについては同一の符号を使用するとともにその重複する説明を省略する。この電線バラケ補正工具１は、図１，図２で示すように、支軸１１と、第１矯正具１２と、第２矯正具１３と、開口部１４と、第１補正用半円筒体１５と、第２補正用半円筒体１６と、付勢部の具体例であるスプリング１７と、を備えている。
【００２２】
第１矯正具１２および第２矯正具１３は、中心軸面に対し二分割される略中空円筒体である。第１矯正具１２は、第１開閉操作部１２１、第１絶縁半円筒体１２２を備える。第２矯正具１３は、第２開閉操作部１３１、第２絶縁半円筒体１３２を備える。第１矯正具１２および第２矯正具１３は、支軸１１により回動自在に軸支され、図３で示すように、第１開閉操作部１２１および第２開閉操作部１３１を閉じるように操作力を加えると、支軸１１を支点として、他端の第１絶縁半円筒体１２２および第２絶縁半円筒体１３２が開放するように構成されている。
【００２３】
この第１矯正具１２および第２矯正具１３は、硬質絶縁ゴムまたは硬質絶縁樹脂という電気的な絶縁体により形成されて作業員が感電するような事態を防止する。なお、これ以外にも、第１矯正具１２および第２矯正具１３は、金属による本体の表面を絶縁樹脂または絶縁ゴムで表面全体を覆って形成されるようにしても良い。本体は鉄、ステンレス、銅、銅合金、等材料は特に制約されるものではなく適宜選定することが可能である。
特に、絶縁樹脂としてエポキシ樹脂は、接着性がよく、二分割或いは一体化される略中空円筒状金具に対し金型成形により、自由な被覆形状や量産に適用可能である。
【００２４】
第１矯正具１２に一体に形成された第１開閉操作部１２１は、支軸１１から十分な距離を有する突辺であり、先端が開く方向へ作動させる操作力を与える。第２矯正具１３に一体に形成された第２開閉操作部１３１も同様である。
【００２５】
第１矯正具１２の先端に一体に形成された第１絶縁半円筒体１２２は、半円筒状の形状を有している。第２矯正具１３の先端に一体に形成された第２絶縁半円筒体１３２も同様である。
開口部１４は、第１絶縁半円筒体１２２および第２絶縁半円筒体１３２が閉脚して円筒状に組み合わせた時の先端に形成される丸孔を指す。
【００２６】
第１補正用半円筒体１５は、金属製であり、その内側面先端に第１ピンチ部１５１を備える。第１補正用半円筒体１５は第１絶縁半円筒体１２２に固定される。
第２補正用半円筒体１６は、金属製であり、その内側面先端に第２ピンチ部１６１を備える。第２補正用半円筒体１６は第２絶縁半円筒体１３２に固定される。
第１ピンチ部１５１と第２ピンチ部１６１とは、図１（ｂ），図２で示すように、略三角形状の凸部が多数形成された凹凸部である。対面する第１ピンチ部１５１と第２ピンチ部１６１がバラケ補正部を形成する。
【００２７】
スプリング１７は、本発明の構成の付勢部の一具体例であり、第１補正用半円筒体１５および第２補正用半円筒体１６に係止されており、これら二個の第１絶縁半円筒体１２２・第１補正用半円筒体１５，第２絶縁半円筒体１３２・第２補正用半円筒体１６の先端が閉脚するように付勢している。
第１補正用半円筒体１５および第２補正用半円筒体１６の先端は第１絶縁半円筒体１２２および第２絶縁半円筒体１３２の先端より引き込まれて配置される。
【００２８】
続いて、この電線バラケ補正工具１０の組立方法について説明する。第１補正用半円筒体１５を第１絶縁半円筒体１２２に固定する。同様に第２補正用半円筒体１６を第２絶縁半円筒体１３２に固定する。そして、図１，図３からも明らかなように、支軸１１により第１矯正具１２および第２矯正具１３を回動自在に軸支する。そして、第１矯正具１２および第２矯正具１３を一端開脚し、第１矯正具１２の第１補正用半円筒体１５および第２矯正具１３の第２補正用半円筒体１６の両側に跨ってスプリング１７を取り付ける。第１矯正具１２および第２矯正具１３はスプリング１７の収縮力により閉脚した状態を維持する。閉脚状態になると開口部１４が形成される。
【００２９】
続いて、電線バラケ補正工具１の使用方法について図を参照しつつ説明する。図４（ａ）で示すように、引込電線２００の芯線２００ａがバラケ状態であるとする。作業員が、図３で示すように第１開閉操作部１２１および第２開閉操作部１３１を手指で挟んで操作力を加えることにより、第１絶縁半円筒体１２２・第１補正用半円筒体１５と、第２絶縁半円筒体１３２・第２補正用半円筒体１６と、を開脚させる。そして、図４（ｂ）で示すように、計量機器の交換作業の際に露出された電線２００の芯線２００ａに対して、開脚した電線バラケ補正工具１を芯線２００ａに被せた後で閉脚させる。この場合、芯線２００ａの根元部分を覆うように両側から閉脚固定されて、第１絶縁半円筒体１２２および第２絶縁半円筒体１３２が被覆２００ｂから覆うため、開口部１４付近では被覆部２００ｂのみが露出していることとなり、作業中においては電線２００の混触等による事故防止手当を施すことができる。この際、挟み込みによりばらけた芯線２００ａを外側から挟むため、従来技術のように押し込みによる芯線２００ａの曲げがなくなり、補正回数を少なくする。
【００３０】
その後、電線バラケ補正工具１を両側から握って回転させながら上に引き抜くと、内周面の第１ピンチ部１５１と第２ピンチ部１６１との凹凸部が回転しながら芯線方向に沿って移動することにより、図４（ｃ）で示すように、引き抜きと同時に芯線２００ａのバラケ状態を補正することが出来る。この際、押し込み動作がなく引き抜き動作のみであるため、芯線２００ａの曲げのおそれをなくしており、引き抜き作業を少なくすることができる。
【００３１】
なお、本形態では各種の変形形態が可能である。例えば、先の説明では第１補正用半円筒体１５および第２補正用半円筒体１６を強固な金属製とし、その周りを電気的な絶縁が確保された第１矯正具１２および第２矯正具１３により覆うように取り付けて作業員が感電しないような構成とした。
しかしながら、第１矯正具１２と第１補正用半円筒体１５とを絶縁樹脂により一体に構成し、同様に、第２矯正具１３と第２補正用半円筒体１６とを絶縁樹脂により一体に構成しても良い。この場合も、絶縁を確保しつつ同様のバラケ補正機能を確保できる。
【００３２】
また、第１矯正具１２と第１補正用半円筒体１５とを金属により一体に構成し、同様に、第２矯正具１３と第２補正用半円筒体１６とを金属により一体に構成する。そして、第１矯正具１２と第２矯正具１３との外表面全体をＥＰＴゴム等の絶縁ゴムで被覆して構成しても良い。なお、エポキシ樹脂等の絶縁樹脂を採用することも可能である。
【００３３】
続いて、他の形態を図を参照しつつ説明する。図５は他の形態の電線バラケ補正工具の構成図であり、図５（ａ）は側面図、図５（ｂ）は底面図である。図６は他の形態の電線バラケ補正工具の工具本体の構成図であり、図６（ａ）は側面図、図６（ｂ）は底面図である。図７は他の形態の電線バラケ補正工具の断面構成図である。図８は電線バラケ補正工具の開閉操作の説明図である。なお、図９で示した従来技術と同じものについては同一の符号を使用するとともにその重複する説明を省略する。この電線バラケ補正工具２は、図５（ａ），（ｂ）で示すように、工具本体２０と、絶縁被覆部３０と、を備えている。さらに工具本体２０は、図６（ａ），（ｂ）や図７で示すように、支軸２１と、第１矯正具２２と、第２矯正具２３と、開口部２４と、付勢部の具体例であるスプリング２５と、を備えている。
【００３４】
第１矯正具２２および第２矯正具２３は、中心軸面に対し二分割される略中空円筒体である。第１矯正具２２は、第１開閉操作部２２１、第１補正用半円筒体２２２、第１ピンチ部２２３を備える。第２矯正具２３は、第２開閉操作部２３１、第２補正用半円筒体２３２、第２ピンチ部２３３を備える。第１矯正具２２および第２矯正具２３は、支軸２１により回動自在に軸支され、図８で示すように、第１開閉操作部２２１および第２開閉操作部２３１を閉じるように操作力を加えると、支軸２１を支点として、他端の第１補正用半円筒体２２２および第２補正用半円筒体２３２が開脚するように構成されている。
【００３５】
この第１矯正具２２および第２矯正具２３は、電気的な絶縁樹脂により形成されて作業員が感電するような事態を防止する。なお、これ以外にも、第１矯正具２２および第２矯正具２３が本体を金属により形成し、その本体の表面を絶縁樹脂または絶縁ゴムで表面全体を覆って形成されるようにしても良い。本体は鉄、ステンレス、銅、銅合金、等材料は特に制約されるものではなく適宜選定することが可能である。また、後述するが、工具本体２０が絶縁被覆部３０により全体が覆われるため、第１矯正具２２および第２矯正具２３を金属のみにより構成することも可能であるが、上記のように電気的な絶縁を確保することが望ましい。
【００３６】
第１矯正具２２に一体に形成された第１開閉操作部２２１は、支軸２１から十分な距離を有する突辺であり、先端が開く方向へ作動させる操作力を与える。第２矯正具２３に一体に形成された第２開閉操作部２３１も同様である。
【００３７】
第１矯正具２２の先端に一体に形成された第１補正用半円筒体２２２は、半円筒状の形状を有している。第２矯正具２３の先端に一体に形成された第２補正用半円筒体２３２も同様である。
【００３８】
第１補正用半円筒体２２２は、その内側面先端に第１ピンチ部２２３を備え、同様に第２補正用半円筒体２３２は、その内側面先端に第２ピンチ部２３３を備える。
第１ピンチ部２２３と第２ピンチ部２３３とは、図５（ｂ），図６（ｂ），図７で示すように、略三角形状の凸部が多数形成された凹凸部である。対面する第１ピンチ部２２３と第２ピンチ部２３３がバラケ補正部を形成する。
【００３９】
開口部２４は、第１補正用半円筒体２２２および第２補正用半円筒体２３２が閉脚して円筒状に組み合わせた時の先端に形成される丸孔を指す。
スプリング２５は、本発明の構成の付勢部の一具体例であり、第１補正用半円筒体２２２および第２補正用半円筒体２３２に係止されており、これら二個の第１補正用半円筒体２２２および第２補正用半円筒体２３２の先端が閉脚するように付勢している。
【００４０】
絶縁被覆部３０は、二個の第１矯正具２２，第２矯正具２３の外表面全体を覆うように弾性を有する絶縁ゴムまたはエポキシ樹脂のような絶縁樹脂で形成される、例えばゴムキャップのような袋体であり、図７で示すように、開口部側が導線覆い部３１となる。絶縁被覆部３０は、絶縁ビニールやエポキシ系コンパウンド等弾性を確保できる絶縁樹脂を採用することも可能である。なお、絶縁被覆部３０は、開脚操作用として、指先に掛け易い状態とするため、例えば第１開閉操作部２２１や第２開閉操作部２３１の近辺で突起部または凹凸部など適宜滑り止め部も一体形成している。工具本体２０は、絶縁被覆部３０の先端より引き込まれて配置されて導線覆い部３１を形成し、引込電線２００の芯線２００ａは導線覆い部３１により確実に覆われて、絶縁被覆部３０から露出しない構成としている。このため、感電等の事故を防止する。
【００４１】
続いて、この電線バラケ補正工具２の組立方法について説明する。図７，図８からも明らかなように、支軸２１により第１矯正具２２および第２矯正具２３を回動自在に軸支する。そして、第１矯正具２２および第２矯正具２３を一端開脚し、第１矯正具２２の第１補正用半円筒体２２２および第２矯正具２３の第２補正用半円筒体２３２の両側に跨ってスプリング２５を取り付ける。第１矯正具２２および第２矯正具２３はスプリング２５の収縮力により閉脚した状態を維持する。閉脚状態になると開口部２４が形成される。
【００４２】
続いて、電線バラケ補正工具２の使用方法について図を参照しつつ説明する。なお、バラケ補正の使用方法は先に図４を用いて説明した使用方法とほぼ同じであり、図４を参照しつつ説明する。引込電線２００の芯線２００ａがバラケ状態であった場合（図４（ａ）参照）、図８で示すように第１開閉操作部２２１および第２開閉操作部２３１を手指で挟んで操作力を加えることにより、第１補正用半円筒体２２２と、第２補正用半円筒体２３２と、が開脚する。この際、絶縁被覆部３０の弾性により導線覆い部３１付近の開口も拡がる。そして、計量機器の交換作業の際に露出された電線２００の芯線２００ａに対して、電線バラケ補正工具２を開脚して芯線２００ａに被せた後で閉脚させる（図４（ｂ）参照）。この場合、芯線２００ａの根元部分を覆うように両側から閉脚固定されて、絶縁被覆部３０の導線覆い部３１が被覆２００ｂから覆うため、絶縁被覆部３０の開口付近では被覆部２００ｂのみが露出していることとなり、作業中においては電線２００の混触等による事故防止手当を施すことができる。この際、挟み込みによりばらけた芯線２００ａを挟むため、従来技術のように押し込みによる芯線２００ａの曲げがなくなり、補正回数を少なくする。
【００４３】
その後、電線バラケ補正工具２を両側から握って回転させながら上に引き抜くと、内周面の第１ピンチ部２２３と第２ピンチ部２３３との凹凸部が回転しながら芯線方向に沿って移動することにより、引き抜きと同時に芯線２００ａのバラケ状態を補正することが出来る（図４（ｃ）参照）。この際、押し込み動作がなく引き抜き動作のみであるため、引き抜き作業を少なくすることができる。
【００４４】
なお、本形態では各種の変形形態が可能である。
例えば、工具本体２０に代えて先に図１〜図４で説明した電線バラケ補正工具１を絶縁被覆部３０で覆うような構成を採用しても良い。
【００４５】
以上説明した電線バラケ補正工具１，２によれば、「被せる／外す」工程をより簡易に行えると共に、「被せる／外す」工程および「電線のバラケ補正」工程を同時に一括して行うようにした。これにより、従来技術の「被せる／外す」工程の後で別途必要であった「電線のバラケ補正」工程を省くことができる。
【００４６】
こうして、需要家への停電を避けて計量機器、特に各家庭毎に設置されている膨大な数量の電力量計失効替工事の際に、作業者が、電線バラケ補正工具を使用することで、煩わしい作業や不安定な作業等無駄な工程を削減し、大幅に作業効率を向上しながら電線の充電部混触に起因する短絡事故や地絡事故に脅えることなく安全に作業を行える。
【図面の簡単な説明】
【００４７】
【図１】本発明を実施するための最良の形態の電線バラケ補正工具の構成図であり、図１（ａ）は側面図、図１（ｂ）は底面図である。
【図２】本発明を実施するための最良の形態の電線バラケ補正工具の断面構成図である。
【図３】電線バラケ補正工具の開閉操作の説明図である。
【図４】電線バラケ補正工具の使用説明図である。
【図５】他の形態の電線バラケ補正工具の構成図であり、図５（ａ）は側面図、図５（ｂ）は底面図である。
【図６】他の形態の電線バラケ補正工具の工具本体の構成図であり、図６（ａ）は側面図、図６（ｂ）は底面図である。
【図７】他の形態の電線バラケ補正工具の断面構成図である。
【図８】電線バラケ補正工具の開閉操作の説明図である。
【図９】無停電取替工具を用いる電力量計の取替工事の説明図であり、図９（ａ）は取替前の状態図、図９（ｂ）は取替中の状態図である。
【符号の説明】
【００４８】
１：電線バラケ補正工具
１１：支軸
１２：第１矯正具
１２１：第１開閉操作部
１２２：第１絶縁半円筒体
１３：第２矯正具
１３１：第２開閉操作部
１３２：第２絶縁半円筒体
１４：開口部
１５：第１補正用半円筒体
１５１：第１ピンチ部
１６：第２補正用半円筒体
１６１：第２ピンチ部
１７：スプリング
２：電線バラケ補正工具
２１：支軸
２２：第１矯正具
２２１：第１開閉操作部
２２２：第１補正用半円筒体
２２３：第１ピンチ部
２３：第１矯正具
２３１：第１開閉操作部
２３２：第１補正用半円筒体
２３３：第１ピンチ部
２４：開口部
２５：スプリング
３０：絶縁被覆部
３１：導線覆い部
１００： 無停電取替工具
２００：引込電線
２００ａ：芯線
２００ｂ：被覆
３００：電力量計取付板
４００：電力量計
４００ａ：端子列ターミナル
【図１】
2008172924.tif 000003
【図２】
2008172924.tif 000004
【図３】
2008172924.tif 000005
【図４】
2008172924.tif 000006
【図５】
2008172924.tif 000007
【図６】
2008172924.tif 000008
【図７】
2008172924.tif 000009
【図８】
2008172924.tif 000010
【図９】
2008172924.tif 000011